(57)【要約】【課題】既存の蛍光灯を使用した照明設備を変更することなく導入でき、遠隔な場所に設置された監視対象の蛍光灯の点灯状態を監視する。【解決手段】ラピッドスタート型蛍光灯とその蛍光灯を装着する照明機器との間の給電線路を構成するピン端子から電力を取得する受電端子孔１２２を設ける。この受電端子孔１２２で取得した電力で動作する光センサ４を設け、蛍光灯の動作状態を検知する。この光センサ４の検知結果と蛍光灯監視用無線端末１を識別する端末ＩＤとを無線で管理センタへ送信する無線送信部６を設ける。この無線送信部６は、受電端子孔１２２で取得した電力で動作する。管理センタは、受信した光センサ４の検知結果と位置ＩＤとを画面上に表示し、蛍光灯の状態を把握する。【選択図】図１
2010044950.tif 000002
【特許請求の範囲】
【請求項１】
ラピッドスタート型蛍光灯とその蛍光灯を装着する照明機器との間の給電線路から電力を取得する受電手段と、
前記受電手段で取得した電力で動作し前記蛍光灯の動作状態を検知する光センサからなる検知手段と、
前記受電手段で取得した電力で動作し前記検知手段による検知結果を無線で管理センタへ送信する通信手段と、
からなることを特徴とする蛍光灯監視システム。
【請求項２】
ラピッドスタート型蛍光灯を点灯させるための照明回路を有する照明機器と、
監視対象である前記蛍光灯に対して設置された蛍光灯監視用無線端末と、
前記蛍光灯監視用無線端末と無線接続された管理センタと、
で構成される蛍光灯監視システムであって、
前記蛍光灯監視用無線端末は、設置された蛍光灯の光度を検知する光センサと、無線送信部及び制御部を備えるとともに、その動作用電力を前記蛍光灯の一端のピン端子から取得するように構成し、
前記制御部は、所定時間ごとに光センサの値を読み取り、その検知結果を前記無線通信部を通じて前記管理センタへ送信するように構成し、
前記管理センタは、受信した前記光センサの検知結果に基づき、最初に受信した光センサの検知結果を初期値として記憶し、以後、前記初期値と所定時間ごとに送られてくる光センサの現在検知結果とを比較して前記蛍光灯の動作状態を把握するように構成した
ことを特徴とする蛍光灯監視システム。
【請求項３】
ラピッドスタート型蛍光灯の一端のピン端子へ挿通しそのピン端子から電力を取得する受電端子孔を設けた取付基板と、
前記取付基板を側端部へ立設して一体に取り付けた筐体と、
前記筐体に検知面を露出させて装着し前記蛍光灯の光度を検知する光センサと、
前記筐体内に収容された電源部と、無線送信部及び制御部とを備え
た蛍光灯監視用無線端末であって、
前記取付基板は、前記受電端子孔を前記ピン端子へ挿通したときの前記受電端子孔と前記ピン端子との機構的な係合により前記筐体を前記蛍光灯の管面の近傍に支持するように構成し、
前記筐体は、前記光センサの検知面の周囲を囲み且つその開口端縁部分が前記蛍光灯の管面へ接触する漏斗形状の遮蔽部を一体に設け、
前記電源部は、前記受電端子孔を通じて取得した電力を前記光センサと前記無線送信部及び前記制御部へ供給するように構成し、
前記制御部は、タイマーを備え、そのタイマーで計時される送信周期に基づき前記光センサの検知結果と前記蛍光灯監視用無線端末を識別する端末ＩＤとを前記無線送信部を通じて管理センタへ送信するように構成した
ことを特徴とする蛍光灯監視用無線端末。
【発明の詳細な説明】
【技術分野】
【０００１】
本発明は、遠隔な場所に設置された監視対象の蛍光灯の点灯状態等を、無線通信端末の利用によって、容易に把握することを可能とする蛍光灯監視システム及び蛍光灯監視用無線端末に関する。
【背景技術】
【０００２】
住宅や商業施設あるいは公共施設など、照明設備に蛍光灯を使用している施設は多い。しかし、その蛍光灯の寿命については、一般的には、蛍光灯が点滅し始め、それに気がついた時点で、施設管理者等によって交換が行なわれるという手順をとっている。
【０００３】
しかし、この方法は、蛍光灯が点滅状態になってから管理者等へ通報し、新しい蛍光灯に交換することになるため、迅速な対応が困難となり、業務に支障をきたし、特に、サービス業においては、顧客に悪い印象を与える恐れがある。
【０００４】
また、規模の大きな施設における照明設備の監視装置としては、例えば、管理センタと遠隔地の複数の場所に設置された蛍光灯等の照明設備との間で通信を行ない、管理センタにおいて照明設備の各蛍光灯に異常があったか否かを監視する方法が提案されている（例えば、特許文献１参照）。
【０００５】
この特許文献1に開示されている照明設備の監視装置を利用すれば、遠隔地に設置された複数の蛍光灯のいずれかが不点灯状態になると、不点灯状態になった蛍光灯の本数及びその設置場所を管理センタにおいて把握することができる。従って、照明設備が設置された現地へ出向き、照明設備に異常があるか否かを現地で確認する必要がなくなる。
【０００６】
また、従来、蛍光灯の寿命や点灯異常を早期に発見し、放電灯の常時安定した点灯・調光制御ができるようにする技術が開示されている（例えば、特許文献２参照）。
【０００７】
この特許文献２に開示されている技術は、蛍光灯点灯手段により蛍光灯を点灯させ、この蛍光灯の光量を光量センサを用いた光量検出手段により検出し、その検出結果に基づいて、調光ディユーティ制御手段により蛍光灯の調光制御用の点灯信号を生成する。また、管電流測定手段により、蛍光灯の管電流を測定し、その管電流測定手段の測定結果から異常検知手段により、蛍光灯の点灯異常を検知し、点灯異常を検知したときは、蛍光灯を消灯させるとともに、表示手段により、その点灯異常を表示するように構成されている。
【０００８】
【特許文献１】特開２００１−２５０６９８号公報
【特許文献２】特開２０００−２８６０８９号公報
【発明の開示】
【発明が解決しようとする課題】
【０００９】
しかし、上述した特許文献１の照明設備の監視装置にあっては、複雑で大掛かりなシステム構成となり、大規模の施設にける照明設備に実施することはできても、個人等の既設の照明設備に導入することができないという問題があった。
【００１０】
また、特許文献２に記載された放電灯の駆動装置に開示されている技術は、複写機等の画像形成装置へ実施することはできても、その開示された技術手段をそのまま住宅等に使用されている蛍光灯の監視用として導入することは困難である。
【００１１】
本発明は、このような従来の構成が有していた問題を解決しようとするものであり、既存の蛍光灯を使用した照明設備を変更することなく導入でき、遠隔な場所に設置された監視対象の蛍光灯の点灯状態等を監視することができる蛍光灯監視用無線端末及び蛍光灯監視システムを提供することを目的としている。
【課題を解決するための手段】
【００１２】
上記の目的を達成するために、本発明の蛍光灯監視システムは、ラピッドスタート型蛍光灯とその蛍光灯を装着する照明機器との間の給電線路から電力を取得する受電手段と、前記受電手段で取得した電力で動作し前記蛍光灯の動作状態を検知する光センサからなる検知手段と、前記受電手段で取得した電力で動作し前記検知手段による検知結果を無線で管理センタへ送信する通信手段とからなることを特徴としている。
【００１３】
また、本発明の蛍光灯監視システムは、上記の目的を達成するために、ラピッドスタート型蛍光灯を点灯させるための照明回路を有する照明機器と、監視対象である前記蛍光灯に対して設置された蛍光灯監視用無線端末と、前記蛍光灯監視用無線端末と無線接続された管理センタとで構成される蛍光灯監視システムであって、前記蛍光灯監視用無線端末は、設置された蛍光灯の光度を検知する光センサと、無線送信部及び制御部を備えるとともに、その動作用電力を前記蛍光灯の一端のピン端子から取得するように構成し、前記制御部は、所定時間ごとに光センサの値を読み取り、その検知結果を前記無線通信部を通じて前記管理センタへ送信するように構成し、前記管理センタは、受信した前記光センサの検知結果に基づき、最初に受信した光センサの検知結果を初期値として記憶し、以後、前記初期値と所定時間ごとに送られてくる光センサの現在検知結果とを比較して前記蛍光灯の動作状態を把握するように構成したことを特徴としている。
【００１４】
さらに、上記の目的を達成するために、本発明の蛍光灯監視用無線端末は、ラピッドスタート型蛍光灯の一端のピン端子へ挿通しそのピン端子から電力を取得する受電端子孔を設けた取付基板と、前記取付基板を側端部へ立設して一体に取り付けた筐体と、前記筐体に検知面を露出させて装着し前記蛍光灯の光度を検知する光センサと、前記筐体内に収容された電源部と、無線送信部及び制御部とを備えた蛍光灯監視用無線端末であって、前記取付基板は、前記受電端子孔を前記ピン端子へ挿通したときの前記受電端子孔と前記ピン端子との機構的な係合により前記筐体を前記蛍光灯の管面の近傍に支持するように構成し、前記筐体は、前記光センサの検知面の周囲を囲み且つその開口端縁部分が前記蛍光灯の管面へ接触する漏斗形状の遮蔽部を一体に設け、前記電源部は、前記受電端子孔を通じて取得した電力を前記光センサと前記無線送信部及び前記制御部へ供給するように構成し、前記制御部は、タイマーを備え、そのタイマーで計時される送信周期に基づき前記光センサの検知結果と前記蛍光灯監視用無線端末を識別する端末ＩＤとを前記無線送信部を通じて管理センタへ送信するように構成したことを特徴としている。
【発明の効果】
【００１５】
本発明の蛍光灯監視システム及び蛍光灯監視用無線端末は、既存の照明設備を変更することなく導入することができ、蛍光灯の動作状態を容易に監視することができる。また、天井等の電話回線設備が利用しにくい場所においても、蛍光灯監視用無線端末の利用により、管理センタが、蛍光灯の点灯状態にかかわる異常の内容等を容易に把握することができるとともに、その蛍光灯の設置位置を容易に把握することができ、現在行なわれている現地点検確認作業が不要となる。
【００１６】
さらに、照明機器に装着する蛍光灯監視用無線端末の動作用の電力を蛍光灯の一端のピン端子から取得するように構成したことにより、配線工事や配線スペースの確保等の必要がない。また、配線による制約が全くないため、即時に、蛍光灯監視用無線端末の設置が可能である。
【発明を実施するための最良の形態】
【００１７】
以下、本発明を実施するための最良の形態を図１〜図５に基づいて説明する。
【００１８】
図１の（ａ）は、本発明に係る蛍光灯監視用無線端末の一実施例を示す斜視図、図１の（ｂ）は、蛍光灯監視用無線端末の要部を断面した概略構成図である。図２の（ａ）及び（ｂ）は、図１の（ａ）に示す蛍光灯監視用無線端末をラピッドスタート型蛍光灯の一端のピン端子へ装着する過程を示す説明図である。
【００１９】
図３の（ａ）は、本発明に係る蛍光灯監視システムの設置イメージを示す説明図、図３の（ｂ）は、管理センタに設置されたホストコンピュータによる検知結果の表示画面例を示す説明図である。図４は、図１の（ａ）の蛍光灯監視用無線端末の監視処理を示すフローチャートである。図５は、図３の（ａ）の管理センタの監視処理を示すフローチャートである。
【００２０】
まず、図１の（ａ）及び（ｂ）と、図２の（ａ）及び（ｂ）に基づき、蛍光灯監視用無線端末１について説明する。
【００２１】
この蛍光灯監視用無線端末１の特長とするところは、蛍光灯監視用無線端末１の動作用電力をラピッドスタート型の蛍光灯２とその蛍光灯２を装着する照明機器（図示しない）との間の給電線路から取得することにある。
【００２２】
具体的には、直管形状でラピッドスタート型の蛍光灯２を使用する照明機器は、蛍光灯２の両端に設けたピン端子２１を照明機器側に設けたソケット（図示しない）へそれぞれ挿入し、電気的接続と機構的係合を行なう構成となっていが、本発明の蛍光灯監視用無線端末１は、この蛍光灯２の両端に設けたピン端子２１の内の一端側のピン端子２１から動作用の電力を取得するように構成している。
【００２３】
このラピッドスタート型の蛍光灯２は、周知のように、蛍光灯２の電源がオン状態にあるときは、常時、フィラメントに僅かな電流が流れるように構成されているため、その給電線路であるピン端子２１から蛍光灯監視用無線端末１の動作用の電力を取得することができる。
【００２４】
また、蛍光灯監視用無線端末１がピン端子２１から電力を取得する構成とすることにより、蛍光灯２の電源のオン・オフ動作に追従して蛍光灯監視用無線端末１自体の電源のオン・オフ動作も行われるため、蛍光灯２に装着した状態のままで連続運用が可能である。
【００２５】
上記蛍光灯監視用無線端末１の筐体１１は、図１の（ａ）及び（ｂ）に示すように、対候性、耐熱性に優れたシリコン材で、一体に成型されている。このように筐体１１がシリコン材で一体成型のため、防水性もあり、屋外でも使用することが可能である。
【００２６】
また、筐体１１の上面側には、漏斗形状に形成した遮蔽部１１１を設けている。この遮蔽部１１１は、蛍光灯２の管外周面と接触した際に、その接触した管外周面に馴染み密着するように外方向に広がった漏斗形状に形成したことにより、径の異な蛍光灯２への適合と、後述する光センサ４の防塵と、外来光による光度測定値の誤測定の抑制を行なうことができる。
【００２７】
そして、この筐体１１の内部には、後述する電源部３と、光センサ４と、制御部５と、無線送信部６とを設けている。
【００２８】
さらに、筐体１１の一側端には、取付基板１２を直立させ、かつその上端部１２１を遮蔽部１１１の最上部よりも高く突出させて一体に取り付けている。また、取付基板１２の上端部１２１には、２つの受電端子孔１２２を設けている。
【００２９】
この２つの受電端子孔１２２は、導電性ゴムで形成され、蛍光灯２のピン端子２１を挿通して電気的に接続し、ピン端子２１から電力を取得するように構成されている。そして、ピン端子２１から取得した電力は、電力供給線路１２３を通じて電源部３へ供給するように配線接続されている。
【００３０】
また、この受電端子孔１２２は、図２の（ａ）及び（ｂ）に示すように、ピン端子２１を挿通するとともに、ピン端子２１の先端部を照明機器のソケットへ挿入接続したときの受電端子孔１２２とピン端子２１との機構的係合により、筐体１を蛍光灯２の近傍に支持する働きをする。この時、取付基板１２は、蛍光灯２の端部に設けた口金部２２と照明機器のソケットとの間に生じる隙間に挟み込まれた状態で装着される。
【００３１】
上記電源部３は、受電端子孔１２２及び電力供給線路１２３を介してピン端子２１から取得した交流電圧を直流電圧に変換し、光センサ４と、制御部５と、無線送信部６へ安定した動作用の電力として供給する。
【００３２】
光センサ３は、筐体１１の上面に受光面を露出させた状態で埋設されている。また、この光センサ３は、遮光部１１１及び取付基板１２によってその周囲を囲まれた内部底辺に配置され、蛍光灯２の点灯状態を検知するように構成されている。
【００３３】
制御部５は、タイマーを備え、蛍光灯２の電源がオン状態となった後、その蛍光灯２の点灯状態が安定した、例えば、３０分後に、光センサ４の測定値と蛍光灯監視用無線端末１を識別する端末ＩＤとを無線送信部６を通じて図３の（ａ）に示す管理センタ７へ送信する。また、これ以降、タイマーで計時される送信周期に基づき、定期的に、光センサ４の検知結果と端末ＩＤとを無線送信部６を通じて管理センタ７へ送信する。さらに、蛍光灯２の光度が急激に下がった場合にも、その異常値を端末ＩＤとともに管理センタ７へ送信するように制御する。
【００３４】
次に、図４示すフローチャートに基づき、蛍光灯監視用無線端末１の監視処理過程について説明する。
【００３５】
まず、蛍光灯２の電源をオン状態にする（ステップＳ１）。この電源オンと同時に、蛍光灯２が点灯してから、その点灯状態が充分に安定した状態なっているか否かを測るための手段として、制御部５のタイマーによる３０分の計時を開始させる（ステップＳ２）。
【００３６】
制御部５のタイマーの計時を開始させた後、光センサ４の光度値を読み取る（ステップＳ３）。次に、光センサ４で読み取った光度値が予め設定されている閾値以上か、即ち、蛍光灯２が点灯状態にあるか否かを見る（ステップＳ４）。
【００３７】
このステップＳ４で、光度が閾値以下と判定された場合は、「ＮＯ」で、ステップＳ７へ移行し、無線送信部６から管理センタ７に対して異常値送信を行なう。一方、光度が閾値以上と判定された場合は、「ＹＥＳ」で、次のステップＳ５へ進み、ステップＳ２でスタートさせたタイマーの計時が３０分経過したかを確認する。
【００３８】
このステップＳ５の時点において、未だタイマーの計時が３０分を経過していない場合は、「ＮＯ」で、ステップＳ３へ戻り、再度、光センサ４の光度値を読み取る。このように、ステップＳ３へ戻す理由としては、蛍光灯２が点灯して間がなく、点灯状態が安定していない状態にあり、従って、先のステップＳ３で読み取った光センサ４の光度値が正常な読み取り値とならないためである。
【００３９】
一方、タイマーの計時が３０分を経過している場合は、「ＹＥＳ」で、次のステップＳ６へ進み、光センサ４の正常読み取り値と端末ＩＤを管理センタ７へ送信するとともに、ステップＳ２のタイマーの３０分の計時を再度開始させる。このように、この実施の形態における蛍光灯監視用無線端末１においては、検知結果が定常状態にあるときには、３０分ごとに１回、管理センタ７に対して光センサ４による検知結果と端末ＩＤを送信するように構成されている。
【００４０】
次に、本発明に係る蛍光灯監視システムについて、図３の（ａ）の蛍光灯監視システムの設置イメージを示す説明図と、図３の管理センタに設置されたホストコンピュータによる検知結果の表示画面例を示す説明図に基づいて説明する。
【００４１】
図３の（ａ）の蛍光灯監視システムの全体構成に示すように、例えば、ビルの１階から３階にかけて複数の照明機器が設置されている。図３の（ａ）に示す例によれば、１階には、直管形状でラピッドスタート型の蛍光灯２と、上述した蛍光灯監視用無線端末１を装着した２台の照明機器「端末ＩＤコードＡとＢ」が設置され、２階には、同様に、直管形状でラピッドスタート型の蛍光灯２と、上述した蛍光灯監視用無線端末１を装着した２台の照明機器「端末ＩＤコードＣとＤ」が設置され、また、３階にも同様に、直管形状でラピッドスタート型の蛍光灯２と、上述した蛍光灯監視用無線端末１を装着した照明機器「端末ＩＤコードＥとＦ」が設置されている。
【００４２】
さらに、２階には、管理センタ７が設置されている。この管理センタ７は、例えば、蛍光灯監視用無線端末１から送信されてくる光センサ４の検知結果と端末ＩＤからなる検知情報信号を受信する無線受信端末７１と、受信した検知情報信号を処理及び画面表示するホストコンピュータ７２等で構成されている。
【００４３】
この管理センタ７のホストコンピュータ７２には、何階のどの位置に設置されている蛍光灯２に、どの端末ＩＤを有する蛍光灯監視用無線端末１が装着されているかを示す管理リストが更新可能な記憶情報として予め内部メモリに登録されている。
【００４４】
さらに、この管理センタ７は、各蛍光灯監視用無線端末１から送られてくる検知情報を内部メモリに記憶し、記憶内容が更新可能な履歴情報として管理リストに残すとともに、例えば、現在の各蛍光灯２の点灯状態を図３の（ｂ）に示すように、画面上に表示する。
【００４５】
図３の（ｂ）に例示した画面表示によれば、１階に設置されている「端末ＩＤコードＡとＢ」及び２階に設置されている「端末ＩＤコードＤ」の３本の蛍光灯２は、「ＯＫ」と表示され、通常点灯状態にあり、問題がないことが確認できる。２階に設置されている「端末ＩＤコードＣ」の蛍光灯２は、「異常」と表示され、異常な消灯もしくは点滅状態にあることが確認できる。
【００４６】
また、３階に設置されている「端末ＩＤコードＥ」の蛍光灯２は、「寿命」と表示され、光センサ４による検知結果、即ち、光度が所定の閾値以下となり、「端末ＩＤコードＥ」の蛍光灯２が交換時期にあることが確認できる。
【００４７】
さらに、３階に設置されている「端末ＩＤコードＦ」の照明機器の蛍光灯２は、「消灯」と表示され、「端末ＩＤコードＦ」に設置された照明機器の電源が切られていることを確認することができる。この「消灯」表示は、「端末ＩＤコードＦ」の照明機器への電源か切られたために、その蛍光灯２から電力を取得している蛍光灯監視用無線端末１からの送信が、例えば、３０分以上、途絶えた場合に、消灯通知表示を行なうように構成されている。
【００４８】
次に、上記のように構成した管理センタ７に設置したホストコンピュータ７２の監視処理過程を図５に示すフローチャートに基づいて説明する。なお、このフローチャートにおいては、説明をわかりやすくするために、各蛍光灯２にそれぞれ装着された蛍光灯監視用無線端末１の内の１台の蛍光灯監視用無線端末１から送信されてくる光センサ４の検知結果と端末ＩＤとからなる検知情報信号の受信処理過程について説明する。
【００４９】
まず、各蛍光灯２に装着された蛍光灯監視用無線端末１から３０分ごとに送信されてくる光センサ４の検知結果と端末ＩＤとからなる検知情報信号の受信を待ち受け（ステップＳ１１）状態に設定されているときに、次のステップＳ１２で、検知情報信号を受信したか否かを確認する。
【００５０】
ステップＳ１２で、検知情報信号を受信していないと確認された場合は、「ＮＯ」で、ステップＳ１８へ移行する。このステップＳ１８では、３０分以上受信記録がないか否かを確認し、３０分を経過していない場合は、「ＮＯ」で、ステップＳ１１の受信待ち受け状態に戻る。また、ステップＳ１８で、３０分以上受信記録がないと確認された場合は、「ＹＥＳ」で、ステップＳ１９へ進み、３０分以上受信していない場合は、蛍光灯２の電源がオフされたと判断し、ホストコンピュータ７２の画面上に「消灯」と表示し、ステップＳ１１の受信待ち受け状態に戻る。
【００５１】
一方、ステップＳ１２で、検知情報信号を受信したことが確認された場合は、「ＹＥＳ」で、次のステップＳ１３へ進み、端末ＩＤを識別する。その後、ステップＳ１４へ進み、受信した光センサ４の検知値は正常読取値か否かを確認する。ステップＳ１４で、確認の結果、蛍光灯監視用無線端末１から送信された信号が図４のステップＳ７の光センサ４で読み取った光度値が予め設定されている閾値以下であることを示す「異常値送信」であった場合は、「ＮＯ」で、ステップＳ２０へ移行する。
【００５２】
このステップＳ２０では、光センサ４で読み取った光度値が、既に、初期値として設定されていた場合は、その初期値をクリアし、ホストコンピュータ７２の画面上に「異常」と表示（ステップＳ２１）した後、ステップＳ２２の受信待ち受け状態に入る。そして、ステップＳ２３で、再度、受信が確認された場合には、ステップＳ１３へ戻り、端末ＩＤを識別する。また、ステップＳ２３で、受信が確認されない場合は、ホストコンピュータ７２の画面上に「異常」の表示を継続する。
【００５３】
上記ステップＳ１４において、受信した光センサ４の検知値が正常読取値、即ち、図４のステップＳ６の正常読み取り値であることを確認した場合には、「ＹＥＳ」で、ステップＳ１５へ進み、初期値が設定されているか否かを確認する。初期値が設定されていない場合は、「ＮＯ」で、ステップＳ２４へ移行し、読み取り値を初期値として設定した後、蛍光灯２が正常点灯状態にあることをホストコンピュータ７２の画面上に表示（ステップＳ１７）する。
【００５４】
また、ステップＳ１５で、初期値が設定されていることが確認された場合は、ステップＳ１６へ進み、今回の読み取り値が初期値の７０％以上か否かを確認する。
【００５５】
このステップＳ１６で、今回の読み取り値が初期値の７０％以上であると確認された場合は、「ＹＥＳ」で、蛍光灯２が正常点灯状態にあることをホストコンピュータ７２の画面上に表示（ステップＳ１７）する。一方、今回の読み取り値が初期値の７０％未満であることが確認された場合は、ステップＳ２５へ移行し、初期値をクリアした後、ホストコンピュータ７２の画面上に、蛍光灯２の交換が必要とされる状況にあることを示す「寿命」の表示（ステップＳ２６）を行ない、ステップＳ１１へ戻り、次の受信に備える。
【００５６】
上述した本実施の形態によれば、定量的な蛍光灯２の寿命をいち早く感知し管理センタ７に対して通報することができる。また、万一、蛍光灯２が点滅や意図せぬ消灯状態を起こしても、直ちに、管理センタ７に対して、自動通報することができる。
【図面の簡単な説明】
【００５７】
【図１】本発明に係る蛍光灯監視用無線端末の一実施の形態を示す斜視図及び蛍光灯監視用無線端末の要部を断面した概略構成図である。
【図２】図１に示す蛍光灯監視用無線端末をラピッドスタート型蛍光灯の一端のピン端子へ装着する過程を示す説明図である。
【図３】本発明に係る蛍光灯監視システムの設置イメージを示す説明図及び管理センタに設置されたホストコンピュータによる検知結果の表示画面例を示す説明図である。
【図４】図１の蛍光灯監視用無線端末の監視処理を示すフローチャートである。
【図５】図３の管理センタの監視処理を示すフローチャートである。
【符号の説明】
【００５８】
１      蛍光灯監視用無線端末
１１    筐体
１１１  遮蔽部
１２    取付基板
１２１  上端部
１２２  受電端子孔
１２３  電力供給線路
２      蛍光灯
２１    ピン端子
２２    口金部
３      電源部
４      光センサ
５      制御部
６      無線送信部
７      管理センタ
７１    無線受信端末
７２    ホストコンピュータ
【図１】
2010044950.tif 000003
【図２】
2010044950.tif 000004
【図３】
2010044950.tif 000005
【図４】
2010044950.tif 000006
【図５】
2010044950.tif 000007